(57)【要約】【課題】本発明は、クローゼットの扉とクローゼット内にかけられている服との間にできた隙間に、複数枚のスカートやコートなどがかけられる収納ハンガーを提供する。【手段】支持幹の上端部にフックを形成し、支持幹の下端にアームを形成し、二股状に分かれたアームに奥壁押し当て安定体と重しを設け、両先端の数センチをやや柔軟に折り曲げられる形状にし、奥壁に押し当たる部位に滑り止めを設け、背中合わせ・真反対方向に伸びるアームに連結回動部と連結する連結回動体を設け、その連結回動体を介してハンガー部を設け、そのハンガー部は、一定の間隔をおいて複数段の留め掛け部を形設した隙間収納ハンガー。【選択図】図５
2014217714.tif 000002
【特許請求の範囲】
【請求項１】
支持幹の上端部にフックを形成し、支持幹の下端にフックと真反対方向に支持幹とほぼ直角するアームを形成し、二股状に分かれたアームの先端に奥壁押し当て安定体を設け、その二股状の奥壁押し当て安定体に重しを設け、二股の奥壁押し当て安定体の先端の数センチをやや柔軟に折り曲げられる形状にし、奥壁に押し当たる部位に滑り止めを設け、その二股状に分かれた先端と背中合わせ・真反対方向に、連結回動部と連結する連結回動体を設け、その連結回動体を介してハンガー部を設け、そのハンガー部は、一定の間隔をおいて複数段の留め掛け部を形設し、ネクタイ用、スカート用、スラックス用、コート用等の用途別の専門の留め掛け部が形成され、用途に応じ自由に使い分けできることを特徴とするクローゼットの隙間収納ハンガーである。
【発明の詳細な説明】
【技術分野】
【０００１】  本発明は、クローゼットの扉とクローゼット内にかけられている服との間にできた隙間を有効活用して、複数枚のスカート、スラックス、ネクタイやコートなどがかけられる収納ハンガーに関するものである。
【背景技術】
【０００２】  従来では、スカートやスラックスの収納ハンガーはクローゼット扉枠に対して直角の向きに並べてかけていた。
【発明の概要】
【発明が解決しようとする課題】
【０００３】  従来、次のような問題点があった。
（イ）収納ハンガーに掛けられたスカートやスラックス等をクローゼットから出す時は        、掛け並べられた服を脇へと押しやり、スカートやスラックスの収納ハンガーの        横にスペースを作り、身体をよじったりして目的のスカートを抜き取り、戻す時        にも身体をよじって掛け直さなければならず、スカートやスラックスを押しこむ        ように雑にかけ、皺になったりした。あるいは、収納ハンガーをクローゼットか        ら抜き取り、そこからスカートを取り出し、また掛け直して、再びクローゼット        へ収納する手間があった。
（ロ）帰宅直後に脱いだスーツやコートをクローゼットに収納するのを面倒がり、カー        テンレールなどに掛けたりして部屋の美観が損なわれたり整理がつかなくなった        りした。
本発明は、以上の問題点を解決するためになされたものである。
【課題を解決するための手段】
【０００４】  支持幹の上端部にフックを形成し、支持幹の下端にフックと真反対方向に支持幹とほぼ直角するアームを形成し、二股状に分かれたアームの先端に奥壁押し当て安定体を設け、その二股状の奥壁押し当て安定体に重しを設け、二股の奥壁押し当て安定体の先端の数センチをやや柔軟に折り曲げられる形状にし、奥壁に押し当たる部位に滑り止めを設け、その二股状に分かれた先端と背中合わせ・真反対方向に、連結回動部と連結する連結回動体を設け、その連結回動体を介してハンガー部を設け、そのハンガー部は、一定の間隔をおいて複数段の留め掛け部を形設し、ネクタイ用、スカート用、スラックス用、コート用等の用途別の専門の留め掛け部が形成され、用途に応じ自由に使い分けすることができる。
本発明は、以上の構成よりなるクローゼットの隙間収納ハンガーである。
【発明の効果】
【０００５】  （イ）クローゼットの扉とクローゼット内にかけられている服との間にできた隙間を有        効活用して、複数枚のスカート、スラックス、ネクタイやコートなどをかけるこ        とができる。
（ロ）クローゼットの扉枠に対してスカートやスラックス、ネクタイ等を水平にかけて        収納することができるので、身体をよじる必要がなく、正面を向いた状態で出し        入れができる。
（ハ）本発明のハンガーは左右半円孤を描くように回動するので、ハンガーの後ろに掛        けられた洋服の出し入れもスムーズにできる。
（ニ）帰宅直後に脱いだスーツやコートをクローゼット内に押しこめずに、クローゼッ        トの扉とクローゼット内にかけられている服との間にできた隙間に手軽に掛けて        収納することができるので、面倒がってカーテンレールなどに掛けなくなり、部        屋の美観を損ねなくなる。
【図面の簡単な説明】
【０００６】
【図１】本発明の側面図
【図２】図１における本発明の斜視図
【図３】本発明におけるハンガー部にネクタイをかけた状態を示す斜視図
【図４】本発明におけるハンガー部にスカートをかけた状態を示す斜視図
【図５】図３の使用例をクローゼット内で回動させた状態を示す斜視図
【図６】本発明におけるハンガー部にコートをかけた状態を示す斜視図
【図７】本発明の一部である留め掛け部の拡大図
【図８】図６の使用例をクローゼット内で回動させた状態を示す斜視図
【図９】本発明におけるハンガー部にスラックスをかけた状態を示す斜視図
【発明を実施するための形態】
【０００７】  以下、本発明の実施の形態を説明する。
支持幹（２）の上端部にフック（１）を形成し、支持幹（２）の下端にフック（１）と真反対方向に支持幹（２）とほぼ直角するアーム（３）を形成し、二股状に分かれたアーム（３）の先端に奥壁押し当て安定体（８）を設け、その二股状の奥壁押し当て安定体（８）に重し（７）を設け、二股の奥壁押し当て安定体（８）の先端の数センチをやや柔軟に折り曲げられる形状にし、奥壁に押し当たる部位に滑り止め（１４）を設け、その二股状に分かれた先端と背中合わせ・真反対方向に、連結回動部（９）と連結する連結回動体（５）を設け、その連結回動体（５）を介してハンガー部（４）を設け、そのハンガー部（４）は、一定の間隔をおいて複数段の留め掛け部（６）を形設し、ネクタイ（１１）、スカート（１２）、スラックス（１３）、コート（１０）等の用途別の専門の留め掛け部（６）が形成され、用途に応じ自由に使い分けすることができる。
本発明は以上のような構造でこれを使用する時は、クローゼットの奥壁の方に奥壁押し当て安定体（８）の先端を向けて吊りかけバー（１５）にフック（１）をかけ、クローゼットの奥行きの長さに合わせるようにして、奥壁押し当て安定体（８）の滑り止め（１４）が奥壁に押し当たるように折り曲げて固定し、真反対方向に設けられたハンガー部（４）に形設されたそれぞれの用途に合わせた留め掛け部（６）にネクタイ（１１）、スカート（１２）、スラックス（１３）やコート（１０）等を掛けて収納する。その収納されたネクタイ（１１）、スカート（１２）、スラックス（１３）やコート（１０）等は、クローゼットの扉とクローゼット内にかけられている服との間にできた隙間にかけて収納するため、クローゼット内にかけられている服が、本発明の収納ハンガーで塞がれて隠れてしまった場合は、連結回動体（５）を左右いずれかの方向へと回動させて、隠れていた服の前にオープンスペースをつくり、服を出し入れして使用する。
【符号の説明】
【０００８】（１）フック
（２）支持幹
（３）アーム
（４）ハンガー部
（５）連結回動体
（６）留め掛け部
（７）重し
（８）奥壁押し当て安定体
（９）連結回動部
（１０）コート
（１１）ネクタイ
（１２）スカート
（１３）スラックス
（１４）滑り止め
（１５）吊りかけバー
（Ａ）（６）の拡大部
【図１】
2014217714.tif 000003
【図２】
2014217714.tif 000004
【図３】
2014217714.tif 000005
【図４】
2014217714.tif 000006
【図５】
2014217714.tif 000007
【図６】
2014217714.tif 000008
【図７】
2014217714.tif 000009
【図８】
2014217714.tif 000010
【図９】
2014217714.tif 000011